(57)【要約】【課題】学習用の携帯端末に用いて好適なタッチペンを提供すること。【解決手段】静電容量式のタッチパネルを有する携帯端末に対応したタッチペン１１において、携帯端末に対して所定の機能を発揮させる指令を、ユーザが入力操作するための操作器具として、ボタン３１ａ，３１ｂ，３１ｃが設けられている。また、タッチペン１１には、操作器具に対するユーザの入力操作がなされた場合、当該指令を携帯端末に送信する送信部も設けられている。また、タッチペン１１のうち少なくともユーザの保持部の断面は、角丸の三角形状である。【選択図】図２
2015114894.tif 000002
【特許請求の範囲】
【請求項１】
タッチパネルを有する携帯端末に対応したタッチペンであって、
前記携帯端末に対して所定の機能を発揮させる指令を入力するために、ユーザが操作するための操作器具と、
前記操作器具に対する前記ユーザの入力操作がなされた場合、前記指令を前記携帯端末に送信する送信部と、
を備えるタッチペン。
【請求項２】
前記タッチペンのうち少なくとも前記ユーザの保持部の断面は、角丸の形状である
請求項１に記載のタッチペン。
【発明の詳細な説明】
【技術分野】
【０００１】
本発明は、タッチペンに関する。
【背景技術】
【０００２】
従来より、ユーザが保持し易いように、断面が三角形状となっている筆記具が存在する（例えば、特許文献１参照）。
【先行技術文献】
【特許文献】
【０００３】
【特許文献１】特開２００３−８４６６２号公報
【発明の概要】
【発明が解決しようとする課題】
【０００４】
しかしながら、特許文献１に記載の筆記具は鉛筆等紙媒体に筆記することが前提とされている。このため、技術進歩が急速に進む近年ではいわゆるタブレット等の携帯端末を用いた学習が提案されるようになっているが、このような携帯端末に対しては、特許文献１に記載の筆記具を適用することができない。
【０００５】
本発明は、このような状況に鑑みてなされたものであり、学習用の携帯端末に用いて好適なタッチペンを提供することを目的とする。
【課題を解決するための手段】
【０００６】
本発明の一態様のタッチペンは、タッチパネルを有する携帯端末に対応したタッチペンであって、前記携帯端末に対して所定の機能を発揮させる指令を入力するために、ユーザが操作するための操作器具と、前記操作器具に対する前記ユーザの操作がなされた場合、前記指令を前記携帯端末に送信する送信部とを備える。
【０００７】
この場合、前記タッチペンのうち少なくとも前記ユーザの保持部の断面は、角丸の形状であるようにすることができる。
【発明の効果】
【０００８】
本発明によれば、学習用の携帯端末に用いて好適なタッチペンを提供することができる。
【図面の簡単な説明】
【０００９】
【図１】本発明が適用される情報処理システムの外観構成の概略を示す斜視図である。
【図２】図１の情報処理システムのうち、タッチペンの外観構成の概略を示す図である。
【発明を実施するための形態】
【００１０】
以下、図面を参照して、本発明の実施形態について説明する。
【００１１】
図１は、本発明が適用される情報処理システム１の外観構成の概略を示す斜視図である。
【００１２】
図１に示すように、情報処理システム１は、タッチペン１１と、携帯端末１２とを備えている。本実施形態では、情報処理システム１は、子供（例えば０歳から１０歳までの子供）の学習用に適用されるものとする。
【００１３】
携帯端末１２は、例えばいわゆるタブレットで構成されており、表示部２１と、タッチペン用センサ２２とを備えている。
【００１４】
表示部２１は、例えば液晶ディスプレイで構成され、タッチパネル機能を有している。即ち、表示部２１において、液晶ディスプレイの表示領域の上に、静電容量式の位置入力センサが積層されている。位置入力センサは、タッチ操作がなされた位置の座標を検出する。ここで、タッチ操作とは、表示部２１に対する物体（ユーザの指やタッチペン１１等）の接触又は近接の操作をいう。なお、以下、タッチ操作がなされた位置を「タッチ位置」と呼び、タッチ位置の座標を「タッチ座標」と呼ぶ。
【００１５】
タッチペン用センサ２２は、所定の通信方式に従ってタッチペン１１と無線通信することで、タッチペン１１と各種情報を無線通信する。
【００１６】
ここで、無線通信方式は、特に限定されず、専用の方式であってもよいし、Ｂｌｕｅｔｏｏｔｈ（登録商標）等の所定の規格に準拠した方式であってもよい。
【００１７】
また、タッチペン１１とタッチペン用センサ２２との間で授受される情報は、任意であり、タッチペン１１の位置情報（タッチ座標を特定可能な情報）のみならず、タッチペン１１の角度情報やＩＤ等任意のものを採用することができる。
【００１８】
例えば、本実施形態では複数のタッチペン１１毎にＩＤが付与されており、複数のタッチペン１１の夫々は、自己に付与されたＩＤを送信することができる。この場合、携帯端末１２は、各ＩＤと各ユーザの対応付けを予め記憶しておくことで、当該ＩＤをタッチペン用センサ２２を介して受信することで、現在操作している者を容易に特定することができる。
具体的には例えば兄のタッチペン１１のＩＤは１であり、弟のタッチペン１１のＩＤは２であるという対応付けがなされているものとする。この場合、携帯端末１２は、タッチペン１１からＩＤ＝１を受信したときには兄が操作者であり、タッチペン１１からＩＤ＝２を受信したときには弟が操作者であることを容易に特定することができる。
【００１９】
また例えば、本実施形態では、タッチペン１１の筆圧は１０２４段階で区分されており、当該１０２４段階のうち何れの段階かを示す情報も、タッチペン１１から送信可能とされている。なお、筆圧は、携帯端末１２側で検知するようにしてもよい。
【００２０】
また例えば、本実施形態では、タッチペン１１には３つのボタン３１ａ，３１ｂ，３１ｃ（後述の図２参照）が設けられており、これらのなかで押下されたボタンがどれであるのかを特定可能な情報（以下、「ボタン特定情報」と呼ぶ）も、タッチペン１１から送信可能とされている。また、３つのボタン３１ａ，３１ｂ，３１ｃの夫々に割り当てられた機能が携帯端末１２において記憶されているものとする。
この場合、携帯端末１２は、当該ボタン特定情報をタッチペン用センサ２２を介して受信することで、現在押下されたボタンを特定し、当該ボタンに割り当てられた機能を発揮するための処理を実行することが容易にできる。
具体的には例えば、３つのボタン３１ａ，３１ｂ，３１ｃの夫々に対して、「赤色」，「青色」，「黒色」の夫々が割り当てられているとする。この場合、ユーザ（子供）は、３つのボタン３１ａ，３１ｂ，３１ｃのうち所望のものを押下するだけで、タッチペン１１の色（表示部２１に表示される色）を容易に変更することができる。即ち、携帯端末１２は、ボタン３１ａが押下されたときには「赤色」に、ボタン３１ｂが押下されたときには「青色」に、ボタン３１ｃが押下されたときには「黒色」に、夫々変更することができる。
【００２１】
図２は、図１の情報処理システム１のうち、タッチペン１１の外観構成の概略を示す図である。具体的には、図２（Ａ）は、タッチペン１１の外観構成の概略を示す斜視図である。図２（Ｂ）は、タッチペン１１の外観構成の概略を示す上面図である。
【００２２】
タッチペン１１は、本実施形態では静電容量式のタッチパネルに対応したペンである。従って、タッチペン１１は、静電容量式のタッチパネルを採用した携帯端末１２のみならず、静電容量式のタッチパネルを採用した他の端末でも使用可能である。なお、携帯端末１２のタッチパネルの方式が、他の方式（例えば電磁誘導式等）を採用している場合には、当然ながら、タッチペン１１も当該他の方式に対応したものになる。
【００２３】
タッチペン１１は、本実施形態では子供（例えば０歳から１０歳までの子供）の学習用として用いられるため、断面が角丸の三角形状を有している。
このように、断面が三角形状を有しているので、ユーザ（子供）は、保持し易いと共に、筆記具の正しい持ち方を学習することが容易にできる。
また、角丸であるので、即ち、角が鋭利でなく滑らかであるので、子供にとって安全である。
ここで、タッチペン１１の重量は、特に限定されないが、子供（例えば０歳から１０歳までの子供）の学習用という点を考慮するならば、子供が重くないと感じる程度の重量、即ち通常のタッチペンと比較して軽量（例えば１０ｇ以下）であると好適である。
【００２４】
タッチペン１１は、そのペン先が鋭利になっている。これにより、ユーザ（子供）は、通常の静電容量式のタッチペンと比較して細い線を書く（表示部２１に線を描画させる）ことができると共に、鉛筆等の紙媒体用の筆記具と同様の操作性を感じることができる。
【００２５】
タッチペン１１は、図示はしないが、タッチペン用センサ２２と無線通信するために必要な構成、即ち、電子回路、アンテナ等を含む通信部も有している。このため、タッチペン１１は電力を必要とするが、当該電力の供給源は特に限定さない。例えば、タッチペン１１は、乾電池等を装着可能なような構成を取ってもよい。また例えば、電力の供給源を携帯端末１２に設け、タッチペン１１のペン先等が当該供給源に近付くとタッチペン１１と携帯端末１２が非接触無線通信等をすることで、当該供給源から電力の供給を受けるような構成を、タッチペン１１は取ってもよい。
【００２６】
タッチペン１１のペン先と反対側の端近辺の各角には、３つのボタン３１ａ，３１ｂ，３１ｃが設けられている。上述したように、３つのボタン３１ａ，３１ｂ，３１ｃのうち何れかが押下されると、押下されたボタンを特定可能なボタン特定情報が、タッチペン１１からタッチペン用センサ２２に対して送信される。
【００２７】
タッチペン１１は、図示はしないが、紛失防止用部材として、本実施形態ではマグネット及び紐を有している。即ち、当該マグネットにより、タッチペン１１は携帯端末１２の面に磁気的に固着されるので、紛失防止が図れる。また、紐は、不使用時には携帯端末１２等に結ぶことで紛失防止が図れるし、使用時にはいわゆるストラップとして利用することで紛失のみならず落下防止も図れる。なお、紛失防止用部材は、紛失防止が図れれば足りるため、マグネットや紐に限定されず、各種各様のものを採用することができる。この場合、紛失防止用部材は、任意の種類単体であってもよいし、任意の複数種類の組合せであってもよい。
【００２８】
以上、本発明の実施形態について説明したが、本発明は、上述の実施形態に限定されるものではなく、本発明の目的を達成できる範囲での変形、改良等は本発明に含まれるものである。
【００２９】
例えば、タッチペン１１に設けられるボタンの個数や配置場所は、上述の実施形態に限定されず、任意でよい。さらにいえば、携帯端末１２において所定の機能を発揮させる操作器具は、特にボタンに限定されず、任意でよい。
例えば、タッチペン１１のペン先と反対側の端に、消しゴムを模した部材を取り付け、当該部材に接触センサ等を内蔵するようにしてもよい。この場合、タッチペン１１は、当該接触センサの検知信号をタッチペン用センサ２２に対して送信することができるようにする。これにより、ユーザ（子供）は、消しゴム付き鉛筆のように、携帯端末１２の表示部２１に描画された文字や絵等のうち消去したい部分を、消しゴムを模した部材で擦ることで、当該部分を消去することが可能になる。
また例えば、タッチペン１１における指が当接される３つの面の夫々に圧力センサ等を内蔵することもできる。この場合、タッチペン１１は、当該３つ面の圧力センサの各検出信号をタッチペン用センサ２２に対して送信することができるようにする。また、ユーザ（子供）がタッチペン１１を保持した場合における、親指、人差し指、中指の夫々の圧力を予め測定して携帯端末１２に記憶しておくものとする。これにより、携帯端末１２は、人差し指がどの面に当接されているのかを特定することができる。ここで、３つの面の夫々に対して、「赤色」，「青色」，「黒色」の夫々が割り当てられていれば、ユーザ（子供）は、握り方を変えるだけで、タッチペン１１の色（表示部２１に表示される色）を容易に変更することができる。
【００３０】
要するに、タッチペン１１は、静電容量式のタッチパネルを有する携帯端末１２に対応し、携帯端末１２に対して所定の機能を発揮させる指令を入力するために、ユーザ（子供）が操作するための操作器具（上述の実施形態ではボタン３１ａ，３１ｂ，３１ｃ）と、操作器具に対するユーザの操作がなされた場合、当該指令を携帯端末１２に送信する送信部とを備えれば、任意の実施形態をとることができる。
【００３１】
また例えば、タッチペン１１の形状は、上述の実施形態に限定されず、任意でよい。
具体的には例えば、上述の実施形態ではタッチペン１１の全体において断面は三角形状とされたが、ユーザの保持部の断面のみが角丸の三角形状であってもよい。即ち、タッチペン１１のうち少なくともユーザの保持部の断面が、角丸の三角形状であればよい。
さらにいえば、上述の実施形態では０歳から１０歳の子供をユーザの対象としたために断面が三角形状とされたが、例えば成年をユーザの対象とする場合には断面を五角形や六角形等の形状にすることもできる。なお、子供用のタッチペン１１として、断面が五角形や六角形等の任意の形状を採用してもよい。ただし、断面が五角形や六角形等であっても、安全上の観点から、角丸を採用すると好適である。
また例えば、０歳から１０歳の子供をユーザの対象とした場合、０歳と１０歳とでは最適な長さや太さも異なる。そこで、長さや太さを可変できるタッチペン１１を採用してもよい。さらに、変更させる長さや太さに応じて、色の濃淡等の基準値を変動させるようにしてもよい。例えば、長さが「短」、「中」、「長」の３段階に可変であり、かつ、色の濃淡等として「６Ｂ」、「４Ｂ」、「２Ｂ」といった３段階の基準値を持たせるとする。そして、長さが「短」のときには「６Ｂ」を示す情報が、長さが「中」のときには「４Ｂ」を示す情報が、長さが「長」のときには「２Ｂ」を示す情報が、夫々タッチペン１１から送信されるものとする。これにより、携帯端末１２は、タッチペン１１の長さに応じて、色の濃淡等の基準値を変更することが容易にできる。
【００３２】
また例えば、タッチペン１１のペン先は、上述の実施形態では、１種類とされたが、複数種類とされてもよい。即ち、ペン先を容易に変更可能なようにタッチペン１１を構成してもよい。
【００３３】
また例えば、携帯端末１２は、上述の実施形態ではタブレットとして構成されたが、特にこれに限定されず、タッチパネル機能と、タッチペン１１と通信する機能とを有していれば任意の構成をとることができる。
例えば携帯端末１２はスマートフォン等で構成してもよい。
また例えば、タッチペン用センサ２２は、表示部２１の下層等、携帯端末１２に内蔵されてもよい。
【符号の説明】
【００３４】
１  ・・・情報処理システム
１１・・・タッチペン
１２・・・携帯端末
２１・・・表示部
２２・・・タッチペン用センサ
３１ａ，３１ｂ，３１ｃ・・・ボタン
【図１】
2015114894.tif 000003
【図２】
2015114894.tif 000004